(57)【要約】【課題】小型ペットを室内飼育する家庭が増え、家族旅行にペット同行が計画される。しかし現状のペット籠ではペットが長旅に耐えられず、結局誰かと家に残ることになる。【解決手段】直方体のペット小屋１をキャリーカート車台７に載せ、同形状のサブペット小屋４をペット小屋１の上に積んで留め、二つの小屋を二階建てとする。これにより一階のペット小屋１にペット１０を乗せ、二階のサブペット小屋４に荷物６を載せ駅に着く。また予めペット小屋天井面２に楕円形の長軸ペット出入孔２３を、サブペット小屋床面５に円形のペット出入孔３を開口しているので、電車に乗ったら電車前席２２の傾斜に合わせてサブペット小屋４をペット小屋１上にスライドさせると、ペット出入孔３と長軸ペット出入孔２３とで常に丸孔を形成するので、ペット１０は丸孔をくぐって、荷物６を網棚２０移して空になったサブペット小屋４へも出入りできる。これによりペット１０は長旅に耐える。【選択図】図４
2017143824.tif 000002
【特許請求の範囲】
【請求項１】
自動車の助手席に置く二連のペット小屋において、
略直方体のペット小屋１の一側壁面を開閉側面１９とし、小屋を自動車助手席シート１５の前の自動車フロアーに置き、
さらにもうひとつの、寸法をほぼ同じくする略直方体のサブペット小屋４を、後方部分を自動車助手席シート１５の上に腰掛けさせつつ、前方部分を助手席前フロアーに置いた前記ペット小屋１後方部分の上に重ね、
重なったペット小屋天井面２とサブペット小屋床面５の、相接する両面に、同形同寸法のペット出入孔３を開口し、
開口した二つのペット出入孔３を密に併せて二つの小屋を留め、よってペット小屋１とサブペット小屋４を上下に段差ある二連のペット小屋にする、
以上のように自動車の助手席とフロアーの如く段差あるところに置くことを特徴とする、上下二連のペット小屋
【請求項２】
自動車の後部座席に置く二連のペット小屋において、
略直方体のペット小屋１の一側壁面を開閉側面１９とし、小屋を自動車後部席シート１６の上にシートの横広がりと平行に置き、
さらにもうひとつの、寸法をほぼ同じくする略直方体のサブペット小屋４の一側壁面を、前記ペット小屋１の開閉側面１９としない側壁面と接して、自動車後部席シート１６の上に両小屋を列にして並べ、
列に並べたペット小屋１とサブペット小屋４の、相接する両側壁面に、同形同寸法のペット出入孔３を開口し、
開口した二つのペット出入孔３を密に併せて二つの小屋を留め、よってペット小屋１とサブペット小屋４を左右に二連のペット小屋にする、
以上のように自動車の後部座席の如く平坦面に置くことを特徴とする、左右二連のペット小屋
【請求項３】
キャリーカート仕立てする二連のペット小屋において、
略直方体のペット小屋１の一側壁面を開閉側面１９とし、小屋をキャリーカート車台７に載せ、
さらにもうひとつの、寸法をほぼ同じくする略直方体のサブペット小屋４を、前記ペット小屋１の上に積んで留め、二つの小屋をキャリーカート車台７上に二階建てとし、
二階建て下部のペット小屋１をペット１０運搬用とすると共に、
二階建て上部のサブペット小屋４の天井面を開閉天井１１にし、同小屋を荷物６運搬用とする、
以上のようにキャリーカート仕立てすることを特徴とする、上下二連のペット小屋
【請求項４】
請求項３におけるキャリーカート仕立て二連ペット小屋の、電車内傾斜置きにおいて、
二階建てにして相接するペット小屋天井面２とサブペット小屋床面５の両面に、ペット１０の上下階への昇降用の孔を開口するが、
一階のペット小屋１に開口する長軸ペット出入孔２３の楕円形は、二階のサブペット小屋４に開口するペット出入孔３の丸形より、軸を相当長くして開口し、
電車内において、前席２２の傾斜に合わせて、荷物６を外に出し空としたサブペット小屋４をペット小屋１上にスライドさせ、ペット出入孔３と長軸ペット出入孔２３とで、随意の場所にペット１０昇降用の丸孔を形成する、
以上のように、電車内で傾斜置きすること特徴とする、請求項３のキャリーカート仕立ての二連のペット小屋
【請求項５】
請求項３におけるキャリーカート仕立て二連ペット小屋の、車内寝かせ置きにおいて、
二階建てにしたペット小屋１とサブペット小屋４の同じ側の側壁面に、同形同寸法のペット出入孔３を各々開口し、
自動車や電車内において、二連ペット小屋を載せたキャリーカートを寝かせ置きし、ペット小屋１とサブペット小屋４の開口した両方のペット出入孔３に渡して、両ペット小屋の外部に、ペット１０移動用の渡り廊下１４を設置する、
以上のように、自動車や電車等の中で寝かせ置きすることを特徴とする、請求項３のキャリーカート仕立ての二連のペット小屋
【請求項６】
請求項３と請求項４と請求項５におけるキャリーカート仕立てペット小屋の、引き出し設置において、
略直方体のペット小屋１のキャリーカート車台７を、箱状の引き出し２７を内に持つ引き出し付き車台２４とすることを特徴とする、請求項３と請求項４と請求項５のキャリーカート仕立ての二連のペット小屋
【発明の詳細な説明】
【技術分野】
【０００１】  本発明は、電車あるいはマイカー等にペットを搭載するときの、ペット小屋二つの技術に関する。一つ目の技術は、電車あるいはマイカー等の狭いスペースではペット小屋も自ずと小さくしなければならない。それを解決するためペット小屋を上下や左右に二連にする。二つ目の技術は、電車あるいはマイカー等に乗るまでの歩道歩行時に、二連になり倍重くなったペット小屋を、キャリーカート仕立てにして運搬を容易にする。発明の動機としては、近来生活にゆとりが出て、子犬や子猫、はたまた兎やハムスター等の小動物を飼育する家庭が増えたことにある。余裕ある家族はさらに、数日間の旅行を電車やマイカーで計画することが多い。その時困るのが飼育しているペットをどうするかである。そこで登場したのがペットホテルであるが、その預かり環境や料金を知ると、こうしたホテル利用をやめ、せっかくの旅行を中止することとなる。この発明はこうした課題を克服すべく、電車においては多くの規制があるペット車内持ち込みをクリアーし、またマイカーにおいては運転者が安全運転を維持できるペット小屋の技術である。こうして家族は家の中におけると同様にペットとコミュニケーションをとりながら、楽しい旅行をする。
【背景技術】
【０００２】  ペット収納具の運搬に関する技術は多くあり、次の３つのジャンルに分類される。
１．手で持ち運ぶ収納具。手に持つ収納具の技術で、下記文献では資料１である。
２．カートで運ぶ収納具。車輪を付け手で押す収納具の技術で、下記文献では資料７        である。
３．自動車で運ぶ収納具。助手席や後部席にシートベルトで固定する収納具の技術で        、下記文献では資料２〜５である。【０００３】  ペット収納具に付け足す物の技術は、次の２つのジャンルに分類される。
１．二階建て収納具。採光や風通しを良くするため二階建てにする技術で、下記文献        では８である。
２．収納具外部付加物。ペットに解放感を与えるためデッキ部等の外部設置技術で、        下記文献では６である。
【先行技術文献】
【０００４】
【特許文献１】特開２０１５−１２６７９６  ペット用キャリーケース
【特許文献２】特開２０１５−９６０５２  ペット収納具
【特許文献３】特開２０１０−２６３８９０  運搬装置
【特許文献４】特開２００６−３３３７５３  車載ケース保持装置
【特許文献５】特開２００６−１５８３６  ペット収納ボックスの車両取り付け構造
【特許文献６】特開２００１−３４６４６７  多目的動物舎
【特許文献７】実用新案登録  第３１３３０５７号  ペット用カート
【特許文献８】実用新案出願公開  昭６３−１１４１８０  二階建て犬小屋
【発明の概要】
【発明が解決しようとする課題】
【０００５】  ペットを電車あるいはマイカーに載せて旅をするとき、次のような課題がある。
Ａ）電車にペットを載せるときは、鉄道会社が定める厳しい収容器寸法をクリアーしなければならず、結局狭い箱物に収納することとなる。現状のプレーンな籠だとペットがすぐ飽き、ペットは長旅ができない。
Ｂ）マイカーといえどもペットを自動車内で放し飼いにしたまま運転することは、道交法では「安全運転義務違反」となる。結局同じように、ペットが運転者に接触しないように狭い籠に入れることになる。
Ｃ）長い旅の道中では人とペットは互いにコミュニケーションをとりながら、楽しく旅行したいが、今あるペット籠ではそれができない。
Ｄ）長い道中には、ペットにトイレスペースが必要となる。
Ｅ）小動物とは言え重さは３〜７ｋｇある。自宅と駅と観光地と旅館などと、ペット籠を手に提げて移動するのは大変である。
Ｆ）同様に、旅行には旅行鞄やお土産品などがあり、この上にペット籠を運ぶのは大変である。
【課題を解決するための手段】
【０００６】  これらの課題を解決する手段の基幹となるのは、ペット小屋を二連にしてペットの遊び場を倍にする、及びペット小屋をキャリーバッグ仕立てにして運ぶ、の２技術である。その６つの手段を請求項ごとに要約で述べる。【０００７】  請求項１では、自動車の助手席の上と下にペット小屋を二連に置く。そして重なった両ペット小屋の床面と天井面を開口して、これをペット２小屋の出入孔として、両小屋でペットの遊び場を倍にする。【０００８】  請求項２では、自動車の後部座席に右と左の二連にしてペット小屋をおく。そして重なった両ペット小屋において、重なった側壁面を開口して、これをペット出入孔とし、両小屋でペットの遊び場を倍にする。【０００９】  請求項３では、ペット小屋二連をキャリーカート仕立てにして、近隣への散歩や買い物などに、ペットとペット小屋ごと出かける。すなわち上部のペット小屋に扉を付けてここを荷物スペースとし、これを下部のペット小屋と共にキャリー車台に繋いで歩く。【００１０】  請求項４では、請求項３におけるキャリーカート仕立て二連ペット小屋を、電車内で使用して、ペットの遊び場を倍にする。すなわちペット小屋天井面２とサブペット小屋床面５に、１階と２階を行き来するペット出入孔を開口し、電車で荷物を網棚にあげたら、この荷物スペースをペットの遊び場スペースとして開放し、ペットの遊び場を倍にする【００１１】  請求項５では、請求項３におけるペット小屋二連の外部に、渡り廊下を設置する。そして電車やマイカー載せたとき、上下二連のキャリーカートを安定のため寝かせ置きにする。ペットは両小屋間を横歩きに渡り歩くことが出来る。【００１２】  請求項６では、請求項１〜５のペット小屋に、ペット外出時の必需品、すなわちトイレ用品やリードや餌などを入れる引き出しを設置する。
【発明の効果】
【００１３】  この発明は、ペットと旅行など外出するとき、次のような優れた効果を発揮する。
ａ）狭い乗り物の中で、ペット小屋を二連にして遊び場を倍にする。ペットは両小屋を自在に移動し、長い旅行に耐える（請求項１，２，４，５、６）。
ｂ）マイカーでは運転者に接触しないように、安全運転できる（請求項１，２）。
ｃ）人とペットは、コミュニケーションをとりながら楽しく旅行や散歩ができる（請求項１、２、３、４、５、６）。
ｄ）二連のペット小屋だからトイレスペースをとることができ、移動中でもペットはトイレに行ける（請求項１、２、４、５、６）。またトイレ予備品や餌やリードを収納するスペースがある（請求項６）。
ｅ）ペット小屋をキャリーカート仕立てにして、３〜７キログラムあるペットを軽々と運べる（請求項３、４、５、６）。
ｆ）旅行では旅行鞄やお土産品など旅行必須品をひとまとめに、近隣の用たしでは買い物品などを、キャリーカートで運ぶことができる（請求項３、４，５、６）。
【図面の簡単な説明】
【００１４】
【図１】請求項１を示す斜視図
【図２】請求項２を示す斜視図
【図３】請求項３を示す斜視図
【図４】請求項４を示す斜視図
【図５】請求項５を示す斜視図
【図６】請求項６を示す斜視図
【発明を実施するための形態】
【００１５】  本発明の請求項ごとの実施形態を、図面を見ながら説明する。まず請求項１はペット旅行をマイカーでするパターンである。しかし旅行でなくても、近隣への用足し外出にペットを自動車に載せてドライブする時でもよい。
【００１６】  本発明の主体となるペット小屋１であるが、本発明で想定するペットは小型犬や猫や兎やハムスター等である．従ってペット小屋１のサイズは段ボールミカン箱ほどの直方体である。
【００１７】  ペット小屋１の材質であるが、ペットを中に入れ、かつペット小屋１をあちらこちらへ運搬するので一定の硬度が求められ、したがって材質は金属系や強化プラスティックがよい。と言っても中に収容するペットを傷つけないこと、あるいは運搬途中にすれ違う人に当たっても傷つけないことが重要である。従って、金属またはプラスティックを、丈夫で柔らかい布で包むなどの配慮が必要である。
【００１８】  ペット小屋１の側壁面の多くは、金属系の金網１３で、あるいは綿布系でも中が見えるメッシュとしている。金網１３やメッシュとすることで、飼い主がいつも中のペット１０の状況を確認できると同時に、中のペット１０も飼い主がいつも傍にいることを確認でき、吠えるや、鳴くや、騒ぐことを極力抑えられる。
【００１９】  金網１３やメッシュとすることのさらに大きな効果は、マイカーや電車の空調をそのまま受けられることである。暑さに弱い小犬、寒さに弱い小猫が、快適なエアーコンディションの中で旅行する。
【００２０】  このペット小屋１を、自動車助手席シート１５の前の自動車フロアーに置く。助手席前の足元である理由であるが、ここが運転手は運転をしながら、首を振ることなく目線を変えるだけでペットの状況を把握できる場所であることである。
【００２１】  助手席シート１５の前の自動車フロアーに置いたペット小屋１は、高さ調整台１２で高さ調整する。ペット小屋天井面２を、後述する上方の助手席シート１５に置くサブペット小屋床面５に密着させるため、ペット小屋１の高さ調整をする必要があるのである。参考のため述べれば、助手席シート１５高は、乗用車系車種は低く、バンなど貨物車系は高く作られている。どの車種にも合うようにするため、高さ調整台１２が必要となる。
【００２２】  ペット小屋１の一側壁面は、蝶番２６をもって、開閉天井１９とする。ペット１０の出し入れはここからする。
【００２３】  次にペット小屋１と寸法をほぼ同じくする略直方体のサブペット小屋４を用意する。サブペット小屋４とペット小屋１を同じ寸法とするのは、両小屋はペアにして運びそして使うので同寸法が扱いやすいことと、デザイン的に調和美を見せられるという理由による。もちろん多少の寸法違いであれば、これを排除する理由は何もない。
【００２４】  このサブペット小屋４の後方部分を自動車助手席シート１５の上に浅く腰掛けさせ、半身を助手席シート１５から身を乗り出す風に置く。助手席シート１５は人のお尻がすっぽり入るよう、かつお尻が滑らないよう出来ているので、浅く腰掛けてもサブペットの小屋４は簡単に滑落しない。
【００２５】  浅く腰掛けたサブペット小屋４を助手席シート１５にしっかり結びつけるのは、ヘッドレスト１７から出したペット小屋固定ベルト２１である。急ブレーキや急発進からサブペット小屋４を守る。固定方法はこのほかに、ペット小屋固定ベルト２１をマイカー助手席のシートベルトに結ぶことも考えられる。
【００２６】  助手席シート１５から半身を乗り出したサブペット小屋４前方部分を、助手席フロアーに置いたペット小屋１後方部分の上に重なるように置く。重なる部分の面積は、後述するように、ここにペット出入孔３を開口しペット１０が行き来するので、小犬や小猫の最大公約数的な胴幅以上あること、すなわち１５から２０センチくらいが望ましい。
【００２７】  重なったペット小屋天井面２とサブペット小屋床面５の両面に、同形同寸法のペット出入孔３を各々開口する。孔の形状は丸形がよく、その直径は前述したように２０センチ未満である。
【００２８】  開口した二つのペット出入孔３を密に併せて両小屋を留める。留め方はペット小屋１とサブペット小屋４それぞれから出ている留め具をロックすればよく、これにより２小屋は密に掛け止めされ、上下二連のペット小屋が完成する。ペット１０は、ペット出入孔３を潜り抜けて上下小屋間で過ごす。
【００２９】  さて、このようにしてペット小屋を二室用意するのがこの発明の一番の特徴である。この発明はマイカーや電車内の限られたスペースにて使用するとしているので、むやみに小屋寸法を大きく出来ず、その解決法としてペット１０の活動スペースを倍にすべく二室使うのである。旅行中ペット１０は二室を行き来し、飽きの来るのをできるだけ防ぐ。またどちらかの一室にトイレスペースを作れば、長旅行にいっそう便利である。
【００３０】  請求項２を説明する。請求項２はペット小屋を二連にして、これをマイカーの後部座席にセットする技術である。後部席は助手席に比べて横広がりがある平坦面で、ここに二連に繋いで、ペットが退屈しない広い居城とする。
【００３１】  このためまず、略直方体のペット小屋１を自動車後部席シート１６の上に、シートと平行に置く。さらにもうひとつの、寸法をほぼ同じくする略直方体のサブペット小屋４を、先に並べたペット小屋１と列にして並べる。
【００３２】  こうして列に並べたペット小屋１とサブペット小屋４の、相接する両側壁面に、同型同寸法のペット出入孔３を開口する。
【００３３】  開口した二つのペット出入孔３を密に併せて二つの小屋を留め、よってペット小屋１とサブペット小屋４を左右に二連のペット小屋にする。ペット１０は出入孔３をくぐって二部屋間で遊ぶ。この発明では二室としたが、横に広い後部席シート１６ではこれに限らず、後に述べるペット出入り孔を多く設ければ、二室に限定せず三室や四室などに増やすなど考えられる。
【００３４】  請求項３を説明する。請求項３ではペット小屋１をキャリーカートに仕立てにし、ペットを近隣への散歩や買い物へ同行するとき運搬を楽にする。そのため略直方体のペット小屋１を、キャスター９とハンドル８からなるキャリーカート車台７に載せる。
【００３５】  さてペット小屋１の寸法を段ボールミカン箱程度と先に述べた。キャリーカートによる近隣歩行では一般道を歩くので自ずとペット小屋を小さく抑えなければならず、また後述の請求項４と５で述べるように、電車内使用も寸法をシビアにしなければならない。当発明で寸法の具体的数値の参考とするのはＪＲ規定である、ＪＲの規定では、「車内に持ち込めるペットの入れ物は、縦幅＋横幅＋高さ＝９０ｃｍ以内」とあるので、この発明はこれに準拠したい。
【００３６】  話を請求項３に戻すと、さらにもうひとつの、寸法をほぼ同じくする略直方体のサブペット小屋４を、前記ペット小屋１の上に積んで留める。よって二つの小屋は、キャリーカート車台７上の二階建てなる。
【００３７】  使い方として、二階建て下部のペット小屋１をペット１０運搬用とすると共に、二階建て上部のサブペット小屋４の天井面を開閉天井１１にして、同小屋を荷物６運搬用とする。
【００３８】  一階と二階の用途を全く逆にすることも全く問題ない。すなわち一階のペット小屋１をペット１０運搬用とし、二階のサブペット小屋４を荷物６運搬用とする。このときは一階の開閉側面１９が荷物６の出し入れ口となり、二階の開閉天井１１がペット１０の出し入れ口となる。
【００３９】  以上のような仕立てすることで、これをペット１０と近隣の公園に散歩に行く、あるいはホームセンターにそのまま乗り入れて買い物するなど、大いに活用できる。
【００４０】  請求項４を説明する。請求項４は、請求項３におけるキャリーカート仕立ての二連ペット小屋を、電車内において使用するパターンである。請求項３の二階建てペット小屋は、近隣の公園やショッピングセンターに、散歩がてらに出かける使用方であったが、請求項４は主に、電車に乗って旅行など遠くまで出かけるときの使用法である。
【００４１】  このため請求項４のペット小屋は、請求項３のペット小屋を改造する。手段として請求項３において相接するペット小屋天井面２とサブペット小屋床面５に、１階と２階を行き来するペット出入孔を開口する。
【００４２】  この両方のペット出入孔の形状が、請求項４のエッセンスである。すなわち、二階のサブペット小屋４のサブペット小屋床面５に設けるペット１０の出入孔はほぼ円形なのに対して、一階のペット小屋１のペット小屋天井面２に設けるペット出入孔は軸を長くとる楕円形の長軸ペット出入孔２３としている。
【００４３】  このペット小屋で電車に乗り、自分の席に着いたらペット小屋に二つ操作する。一つの操作は、サブペット小屋４の荷物６を電車の網棚２０移してサブペット小屋４を空にすることである。
【００４４】  二つ目の操作は、前に座る人の電車前席２２の傾斜に合わせてサブペット小屋４をペット小屋１上にスライドさせることである。任意の位置までスライドさせても、ペット出入孔３と長軸ペット出入孔２３で常に丸孔を形成する。
【００４５】  以上により、ペット小屋１のペット１０はこの丸孔をくぐって、荷物６を網棚２０移して空になったサブペット小屋４へ出入りし、ペット１０は長旅に耐える。
【００４６】  請求項５を説明する。請求項５は、請求項３のキャリーカート仕立ての二連ペット小屋の外部に二室間を結ぶ渡り廊下を設ける。電車の中で背の高いキャリーカートを、電車内で安全のため通路間に寝かせ置きすると、ペット１０が寝かせた両小屋間を渡り歩く技術である。
【００４７】  このため、二階建てにしたペット小屋１とサブペット小屋４の同じ側の側壁面に、同形同寸法のペット出入孔３を各々開口する。このペット両方の出入孔３は、普段は蓋２５によって閉じられている。
【００４８】  これを電車内の通路に寝かせ置くときは、ハンドル８を電車床面につけて、キャリーカート車台７を寝かせる。と同時に、別途用意する渡り廊下１４を、蓋２５を開けた両ペット出入孔３間に架け渡す。これによりペット１０は両小屋間を渡り廊下１４で渡る。
【００４９】  請求項６を説明する。請求項６は、請求項３〜５のキャリーカート仕立てペット小屋のキャリーカート車台７を、引き出し２７を中に装備する引き出し付き車台２４にする。
【００５０】  これにより、引き出し２７にペット１０が旅に出て必要品とする、餌やリードやトイレ用品を収納して便利である。
【産業上の利用可能性】
【００５１】  この発明は、ペット小屋を倍に広くする技術であるが、現状のペット籠を制作するメーカーにおいても、製作工程を若干増設するだけで、容易に製作可能である。
【符号の説明】
【００５２】  １．ペット小屋          ２．ペット小屋天井面    ３．ペット出入孔
４．サブペット小屋      ５．サブペット小屋床面  ６．荷物６
７．キャリーカート車台  ８．ハンドル            ９．キャスター
１０．ペット            １１．開閉天井          １２．高さ調整台
１３．金網              １４．渡り廊下          １５．助手席シート
１６．後部席シート      １７．ヘッドレスト      １８．座席シート固定金具
１９．開閉側面          ２０．網棚              ２１．ペット小屋固定ベルト
２２．前席              ２３．長軸ペット出入孔  ２４．引き出し付き車台
２５．蓋                ２６．蝶番              ２７．引き出し
【図１】
2017143824.tif 000003
【図２】
2017143824.tif 000004
【図３】
2017143824.tif 000005
【図４】
2017143824.tif 000006
【図５】
2017143824.tif 000007
【図６】
2017143824.tif 000008